(57)【特許請求の範囲】
【請求項１】
スイッチングトランスの第１の二次巻線の出力を整流する整流ダイオードと平滑コンデンサからなる第１の整流回路と、前記スイッチングトランスの第２の二次巻線の出力を整流する整流ダイオードと平滑コンデンサからなる第２の整流回路と、前記第２の整流回路からの第２の直流電圧が電圧レギュレータを介して供給される水平偏向回路と、前記第１の整流回路からの第１の直流電圧が一次巻線の一端に供給されるとともに前記水平偏向回路の水平出力が一次巻線の他端に接続されたフライバックトランスと、前記電圧レギュレータの入力端と出力端に接続配設されたスイッチング素子と、前記スイッチング素子を短絡制御する制御手段とを備え、前記水平偏向回路に供給される前記第１の直流電圧の電圧変化分を検出してスイッチングを制御する電源回路の電源スタート時において、前記水平偏向回路の不動作時に前記スイッチング素子を短絡して前記水平偏向回路に供給する電圧を切換えるようにしたことを特徴とする電源スタート時水平パルス出力安定化回路。
【請求項２】
スイッチング素子をリレーで構成し、前記リレーをオン／オフ制御する制御手段により、水平偏向回路の不動作時に前記リレーを短絡して前記水平偏向回路に供給する電圧を切換えるようにしたことを特徴とする請求項１記載の電源スタート時水平パルス出力安定化回路。
【発明の詳細な説明】
【０００１】
【発明の属する技術分野】
本発明は、スイッチングトランス二次巻線のうち水平偏向回路に電圧供給する電源ラインの電圧変化分を検出し、スイッチングを制御する電源回路を用いた電源スタート時水平パルス出力安定化回路に関する。
【０００２】
【従来の技術】
従来、電源出力安定化回路は実開平５−４１３９２号公報や特開平６−１０５５４９号公報に記載されたものが知られている。
【０００３】
図５に従来回路の一例を、図６−１、図６−２に前記従来回路の動作電圧変遷を示す。
図５において符号１はスイッチングトランス、２は整流ダイオード、３は平滑コンデンサ、４は電圧レギュレータ、５は水平パルス出力ブロック、６はフライバックトランス、７は整流ダイオード、８は平滑コンデンサ、９は６の二次側出力電圧端子、１０は水平出力トランジスタ、１１は１０のドライブブロック、１２は整流ダイオード、１３は平滑コンデンサ、１４は抵抗、１５はフォトカプラ、１６は誤差検出増幅器である。
【０００４】
また図６−１、図６−２において１Ｃは電源スタート時、２Ｃは水平偏向回路動作スタート時、３Ｃは図５の水平パルス出力ブロック５の動作保証電圧スレッショルド値、４Ｃは図５の整流ダイオード２のカソード電圧変遷、５Ｃは図５の水平パルス出力ブロック５に印可される電圧変遷、６Ｃは水平偏向回路動作スタート前の４Ｃ、５Ｃの電位差、７Ｃは水平偏向回路動作スタート後の４Ｃ、５Ｃの電位差である。
【０００５】
【発明が解決しようとする課題】
図５の回路構成においては図６−１から図６−２にかけての期間は水平パルス出力ブロック５が動作していないためフライバックトランス６、水平出力トランジスタ１０もまた動作を行っていない。そのため誤差検出増幅器１６により二次側負荷が無負荷と判断され、スイッチングトランス１の一次側のスイッチング波形オンデューティは通常動作時の制御範囲からはずれて狭い波形となる。
従って、二次側各巻線の出力インピーダンスも通常動作時の制御範囲からはずれて高くなる。
一方、スイッチングトランス１の二次巻線のうち誤差検出増幅器１６により制御を行っていない巻線より供給している負荷はフライバックトランス６、及び水平出力トランジスタ１０の動作、未動作にかかわらず同一の負荷状態にあるため平滑コンデンサ３の電圧は通常動作時の状態より下がり、また電圧レギュレータ４により、さらに下がるため最悪の場合、図６−２に示すように水平パルス出力ブロック５に印可される電圧５Ｃが水平パルス出力ブロック５の動作保証電圧スレッショルド値を下回るため水平パルスが出力されず、フライバックトランス６、水平出力トランジスタ１０が動作しなくなってしまう。
【０００６】
また前述の状態を回避するため、誤差検出増幅器１６により制御を行うスイッチングトランス１の巻線の巻数を下げ、誤差検出増幅器１６により制御を行っていない巻線電圧を相対的に上げる方法があるが、この方法だと図６−１のように水平偏向回路動作後の電圧レギュレータ４の入出力電位差が大きく電力ロスにつながってしまう。
【０００７】
【課題を解決するための手段】
この課題を解決するために本発明は、電源スタート１から水平偏向回路動作スタート２までの期間のみ、水平パルス出力ブロックに電圧供給する電源ラインに接続される電圧レギュレータ４の入出力端をスイッチ素子によりショートし、前記電源ラインの電圧が水平偏向回路動作時よりも低くなる分を電圧レギュレータ４による電圧降下分を無効とすることで水平パルス出力ブロック動作を保証する。
【０００８】
また、水平動作後はフライバックトランス６の二次巻線出力を整流平滑した直流電圧により、前記スイッチ素子に直流バイアスを加えショートを解除し、電圧レギュレータ４を動作させる構成にしたものである。
【０００９】
これにより、電源スタートから水平偏向回路動作スタートまでの不安定期間でも水平パルス出力ブロックに一定の電圧を供給し、安定した水平偏向回路動作の保証、かつ電力ロスの低減ができるものである。
【００１０】
【発明の実施の形態】
本発明の請求項１に記載の発明は、スイッチングトランス二次巻線のうち水平偏向回路に電圧供給する電源ラインの電圧変化分を検出し、スイッチングを制御する電源回路において、フライバックトランス二次巻線中の１巻線、トランジスタ、抵抗を用いて前記スイッチングトランス二次側負荷に供給する出力電圧を切換えることを特徴とする電源スタート時水平パルス出力安定化回路であり、電源スタートから水平偏向回路動作スタートまでの不安定期間でも水平パルス出力ブロックに一定の電圧を供給し、安定した水平偏向回路動作の保証、かつ電力ロスの低減ができる、という作用を有する。
【００１１】
また請求項２に記載の発明は、スイッチングトランス二次巻線のうち水平偏向回路に電圧供給する電源ラインの電圧変化分を検出し、スイッチングを制御する電源回路において、フライバックトランス二次巻線中の１巻線、リレー、トランジスタ、抵抗を用いて前記スイッチングトランス二次側負荷に供給する出力電圧を切換えることを特徴とする電源スタート時水平パルス出力安定化回路であり、電源スタートから水平偏向回路動作スタートまでの不安定期間でも水平パルス出力ブロックに一定の電圧を供給し、安定した水平偏向回路動作の保証、かつ電力ロスの低減ができ、なおかつ前記請求項１であげたトランジスタのＶＣＥＳＡＴ  分の電力ロスが軽減できるスイッチングトランス設計が可能となる、という作用を有する。
【００１２】
【実施例】
（実施例１）
以下に、本発明の請求項１の一実施例における電源スタート時水平パルス出力安定化回路について図１、図２を用いて説明する。
【００１３】
図１は本発明の電源スタート時水平パルス出力安定化回路の回路図、図２は図１の動作電圧変遷を示す。
【００１４】
図１において、符号１はスイッチングトランス、２は整流ダイオード、３は平滑コンデンサ、４は電圧レギュレータ、５は水平パルス出力ブロック、６はフライバックトランス、７は整流ダイオード、８は平滑コンデンサ、９は６の二次側出力電圧端子、１０は水平出力トランジスタ、１１は１０のドライブブロック、１２は整流ダイオード、１３は平滑コンデンサ、１４は抵抗、１５はフォトカプラ、１６は誤差検出増幅器、１７はトランジスタ、１８、１９、２０は抵抗である。
【００１５】
また図２において１Ａは電源スタート時、２Ａは水平偏向回路動作スタート時、３Ａは図１の水平パルス出力ブロック５の動作保証電圧スレッショルド値、４Ａは図１の整流ダイオード２のカソード電圧変遷、５Ａは図１の水平パルス出力ブロック５に印可される電圧変遷、６Ａは水平偏向回路動作スタート前の４Ａ、５Ａの電位差、７Ａは水平偏向回路動作スタート後の４Ａ、５Ａの電位差である。
【００１６】
以上のように構成された電源スタート時水平パルス出力安定化回路について以下その動作を説明する。
【００１７】
電源スタートするとスイッチングトランス１から図２の４Ａの電圧が出力され平滑コンデンサ３に充電される。この時抵抗１８、１９によりトランジスタ１７は導通し、電圧レギュレータ４による電圧降下分は無効になり、水平パルス出力ブロック５には図２の５Ａに示されるように、図２の４Ａの電圧からトランジスタ１７のＶＣＥＳＡＴ  分のみ下がった電圧が印加されており、水平パルス出力ブロック５の動作保証電圧スレッショルド値３を上回る。
【００１８】
次にフライバックトランス６、水平出力トランジスタ１０が動作スタートすると整流ダイオード７を介し、平滑コンデンサ８に電圧が充電される。すると、抵抗２０を介してトランジスタ１７がカットオフし、図２の４Ａは電圧レギュレータ４で安定化された５Ａの電圧値となる。
【００１９】
（実施例２）
次に請求項２の一実施例における電源スタート時水平パルス出力安定化回路について図３、図４を用いて説明する。
【００２０】
図３は本発明の電源スタート時水平パルス出力安定化回路の回路図、図４は図３の動作電圧変遷を示す。
【００２１】
図３において１はスイッチングトランス、２は整流ダイオード、３は平滑コンデンサ、４は電圧レギュレータ、５は水平パルス出力ブロック、６はフライバックトランス、７は整流ダイオード、８は平滑コンデンサ、９は６の二次側出力電圧端子、１０は水平出力トランジスタ、１１は１０のドライブブロック、１２は整流ダイオード、１３は平滑コンデンサ、１４は抵抗、１５はフォトカプラ、１６は誤差検出増幅器、１７はリレー、１８はトランジスタ、１９、２０、２１は抵抗である。
【００２２】
また図４において１Ｂは電源スタート時、２Ｂは水平動作スタート時、３Ｂは図３の水平パルス出力ブロック５の動作保証電圧スレッショルド値、４Ｂは図３の整流ダイオード２のカソード電圧変遷、５Ｂは図３の水平パルス出力ブロック５に印可される電圧変遷、６Ｂは水平動作スタート前の４Ｂ、５Ｂの電位差（リレー１７をスイッチ素子として使用しているため理論上電位差は生じない。）、７Ｂは水平動作スタート後の４Ｂ、５Ｂの電位差である。
【００２３】
以上のように構成された電源スタート時水平パルス出力安定化回路について以下その動作を説明する。
【００２４】
電源スタートするとスイッチングトランス１から図４の４Ｂの電圧が出力され平滑コンデンサ３に充電される。この時抵抗１９、２０によりトランジスタ１８は導通し、リレー１７もＯＮし、電圧レギュレータ４による電圧降下分は無効になり、水平パルス出力ブロック５には図４の５Ｂに示されるように、図４の４Ｂの電圧がそのまま水平パルス出力ブロック５に印加されており、水平パルス出力ブロック５の動作保証電圧スレッショルド値３を上回る。
【００２５】
次にフライバックトランス６、水平出力トランジスタ１０が動作スタートすると整流ダイオード７を介し、平滑コンデンサ８に電圧が充電される。
すると、抵抗２０を介してトランジスタ１７がカットオフし、図４の４Ｂは電圧レギュレータ４で安定化された５Ｂの電圧値となる。
【００２６】
【発明の効果】
以上のように本発明の電源スタート時水平パルス出力安定化回路によれば、フライバックトランス二次側出力電圧をトリガとして電圧レギュレータ動作を切換えるためフライバックトランス等の未動作時の電源回路不安定動作時も安定した電圧供給ができ、水平パルス出力も安定したものとなり、電力ロスも必要最小限となるスイッチングトランスを含めた安定化回路が実現する。
【図面の簡単な説明】
【図１】本発明の一実施例における電源スタート時水平パルス出力安定化回路の回路図
【図２】図１の二次側出力電圧動作図
【図３】本発明の一実施例における電源スタート時水平パルス出力安定化回路の回路図
【図４】図３の二次側出力電圧動作図
【図５】従来の電源スタート時水平パルス出力回路の回路図
【図６】図５の二次側出力電圧動作図
【符号の説明】
１    スイッチングトランス
２    整流ダイオード
３    平滑コンデンサ
４    電圧レギュレータ
５    水平パルス出力ブロック
６    フライバックトランス
７    整流ダイオード
８    平滑コンデンサ
９    ６の二次側出力電圧端子
１０    水平出力トランジスタ
１１    １０のドライブブロック
１２    整流ダイオード
１３    平滑コンデンサ
１４    抵抗
１５    フォトカプラ
１６    誤差検出増幅器
１７    トランジスタ
１８    抵抗
１９    抵抗
２０    抵抗
【図１】
0003577871.tif 000002
【図２】
0003577871.tif 000003
【図３】
0003577871.tif 000004
【図４】
0003577871.tif 000005
【図５】
0003577871.tif 000006
【図６】
0003577871.tif 000007